(57)【要約】【課題】従来の袋状や腹巻き状のものよりもより広い範囲の大きさの被保護物に対応して、それらを有効に保護することができる保護カバーを提供する。【解決手段】短辺50〜150cm、長辺150〜350cmの長方形の基材シートと、該基材シートの外側であって、一方の短辺に離間して平行に設けられた２本の固定バンド１２と、同じく該基材シートの外側であって、他方の短辺の、前記２本の固定バンドと対応する位置に設けられた２本のバンド固定具１３と、該基材シートの内側に張設された緩衝用シートとを備える。基材シートは、合成樹脂製フィルムと、その一方の面（内側）に貼付された布地から成る。【選択図】図１
2013075721.tif 000002
【特許請求の範囲】
【請求項１】
a) 短辺50〜150cm、長辺150〜350cmの長方形の基材シートと、
b) 該基材シートの一方の短辺に離間して平行に設けられた２本の固定バンドと、
c) 該基材シートの他方の短辺の、前記２本の固定バンドと対応する位置に設けられた２本のバンド固定具と、
d) 該基材シートの内側に張設された緩衝用シートと
を備えることを特徴とする引越用保護カバー。
【請求項２】
前記バンド固定具が、前記固定バンドを挿通するＤ字形の金属製の環を備えるものである請求項１に記載の引越用保護カバー。
【請求項３】
前記基材シートの少なくとも一方の短辺に、少なくとも緩衝用シートを折り返した折返し部を設けた請求項１又は２に記載の引越用保護カバー。
【発明の詳細な説明】
【技術分野】
【０００１】
本発明は、一般家庭等の引越の際に、家具や大型家電製品等に傷が付くことを防止するために、それらの表面を保護するカバーに関する。
【背景技術】
【０００２】
従来より、引越の際に家具や冷蔵庫等の表面を保護するためのカバーとして、緩衝性を有するキルト地（２枚の布の間に綿等を挟み込み、両布をクロスステッチ縫いしたもの）を袋状にしたものが多く使われている。これを家具等の上から被せることにより、それらを保護する。
また、同様に緩衝性を有する素材を筒状にし、ゴム等で伸縮自在としたものも用いられている。こちらは、家具等の回りに腹巻きのように被せてそれらを保護する。
【先行技術文献】
【特許文献】
【０００３】
【特許文献１】特開平10-175668号公報
【発明の概要】
【発明が解決しようとする課題】
【０００４】
上記従来の保護カバーのうち、袋状のものを家具等の上から被せるものは、家具等の被保護物よりも小さいものはもちろん使用できないし、大きすぎても被せた後の取り扱いが不便であるため、被保護物の大きさに応じた多数の種類のものを用意しておかなければならないという問題がある。
また、腹巻き状のものは、或る程度の範囲の大きさ（周囲長）に対応することが可能であるが、小さすぎる被保護物、大きすぎる被保護物に対してはやはり対応できない。
そこで、本発明は、より広い範囲の大きさの被保護物に対応して、それらを有効に保護することができる保護カバーを提供するものである。
【課題を解決するための手段】
【０００５】
上記課題を解決するために成された本発明に係る引越用保護カバーは、
a) 短辺50〜150cm、長辺150〜350cmの長方形の基材シートと、
b) 該基材シートの一方の短辺に離間して平行に設けられた２本の固定バンドと、
c) 該基材シートの他方の短辺の、前記２本の固定バンドと対応する位置に設けられた２本のバンド固定具と、
d) 該基材シートの内側に張設された緩衝用シートと
を備えることを特徴とする。
【０００６】
本発明に係る引越用保護カバーは更に、少なくとも前記緩衝用シートを一方の短辺又は他方の短辺から折り返すことができるようにしておき、その折返し部の長さを、基材シートの長辺の長さの1/3〜1の間としておくことが望ましい。この折返し部の緩衝用シートは、前記基材シートの内側に張設されたものであってもよい。すなわち、基材シートと緩衝用シートを全面に貼り合わせたものを用いる場合には、それを折り返すことができるようにしておけばよい。また、この緩衝用シートの折り返し部は、双方の短辺に設けてもよい。
【発明の効果】
【０００７】
本発明に係る保護カバーは、その緩衝用シートの方を内側（被保護物側）にして被保護物の回りに巻き、固定バンドとバンド固定具により両端を固定する。このため、様々な大きさの被保護物に巻くことができ、それらを保護することができる。
いずれか一方の短辺又は双方の短辺から緩衝用シートを折り返せるようにしておくことにより、保護カバーを被保護物の回りに巻いたときに両短辺の間にできる隙間をその折返し部の緩衝用シートで覆い、その隙間における被保護物の露出を防いで被保護物を保護することができる。
【図面の簡単な説明】
【０００８】
【図１】本発明に係る保護カバーの一実施例の平面図。
【図２】図１の保護カバーの、バンド固定具の拡大斜視図(a)、及び、固定バンドの部分拡大斜視図(b)。
【図３】バンド固定具の別の例を示す拡大斜視図。
【図４】バンド固定具の更に別の例を示す拡大斜視図。
【図５】バンド固定具の更に別の例を示す拡大斜視図。
【図６】折り返し緩衝用シートを設けた保護カバーの一例を示す図。
【図７】保護カバーの短辺端部への固定バンド及びバンド固定具の固定方法の別の例を示す平面図(a)と断面図(b)。
【発明を実施するための形態】
【０００９】
本発明に係る保護カバーの一実施例を図１〜図７を用いて説明する。
【実施例】
【００１０】
本実施例の保護カバー１０は、本体１１、本体の一方の短辺に設けられた２本の固定バンド１２、及び、本体の他方の短辺に設けられた、両固定バンド１２に対応する２本のバンド固定具１３から成る。
【００１１】
本実施例では、本体１１は、短辺の長さが100cm、長辺の長さが220cmである基材シートと、その基材シートの一方の面に固定された厚さ約0.5cmの緩衝用シートから成る。基材シートは、合成樹脂製のフィルムと、その内側（緩衝用シート側）に貼付された布から成る。布は、合成樹脂製のフィルムの外側に貼付してもよい。なお、基材シートは、合成樹脂製フィルムだけで構成されていてもよいし、布だけで構成されていてもよい。基材シートの合成樹脂製フィルムとしては、例えば厚さ25μmのＰＥＴを用いることができる。布としてはＰＥ／ソフトクロスを用いることができる。また、緩衝用シートとしては、厚さ5mmのＰＥ／ミナフォーム（酒井化学工業株式会社の登録商標）等の発泡シートやスポンジシートを用いることができる。
【００１２】
上記固定バンド１２やバンド固定具１３は本体１１の基材シート側の面に固定されている。
固定バンド１２は、幅3cm、長さ160cmの２枚の不織布を縫合して成る帯であり、その一端約10cmが本体１１に縫合により固定されている（図２(b)）。
【００１３】
バンド固定具１３は、図２(a)に示すように、固定バンド１２と同様の素材から成る本体部１３ａと、本体部の先端に固定されたＤ字形の金属製の固定環１３ｂ（いわゆる「Ｄカン」）から成る。
固定バンド１２は、このＤカン１３ｂの孔に挿通し、結ぶことによってバンド固定具１３に固定する。
【００１４】
バンド固定具１３の別の例を図３に示す。この例ではＤカンが二重（いわゆる「ダブルＤカン」）となっており、これらの間に固定バンド１２を差し込むことにより固定バンド１２を固定する。
【００１５】
なお、図２の例及び図３の例では、Ｄカン１３ｂ及びダブルＤカンは共に本体１１から外に出ることがないようにしておき、それらが被保護物に当たって被保護物を傷つけることがないようにしておく。
【００１６】
バンド固定具１３の更に別の例を図４に示す。この例ではバンド固定具１３は固定バンド１２と同じく単なる２枚の不織布の帯であり、２つの帯を結ぶことによって保護カバー１０を被保護物の周囲に固定する。
【００１７】
バンド固定具１３の更に別の例を図５に示す。この例は、通しバー１３ｃ付のＤカン１３ｂを用いたものであり、固定バンド１２をこれらの間をくぐらせることにより、両者を固定する。
【００１８】
保護カバー１０の一方の短辺から緩衝用シートの折り返し部を設けた例を図６に示す。この例では、バンド固定具１３を設けた側の短辺から本体１１を折り返し、その折返し部１４の長さを全長の約2/3〜3/4程度（約150cm）としたものである。本保護カバー１０を被保護物の周囲に巻いた後、保護カバー１０の両短辺の間にできる隙間にこの折返し部１４を広げて覆うことにより、被保護物の露出を防ぎ、被保護物の全周を保護することができるようになる。
【００１９】
このように折返し部１４を設けた場合、バンド固定具１３の金具（Ｄカン１３ｂ等）が被保護物に当たることがなくなるので、バンド固定具１３を本体１１の端（短辺）に設けてもよい。この場合、図７に示すように、バンド固定具１３のベルトを本体１１を折り返した部分の中で固定することにより、外観がスッキリしたものとなる。固定バンド１１の方についても同様である。
【符号の説明】
【００２０】
１０…保護カバー
１１…本体
１２…固定バンド
１３…バンド固定具
１４…折返し部
【図１】
2013075721.tif 000003
【図２】
2013075721.tif 000004
【図３】
2013075721.tif 000005
【図４】
2013075721.tif 000006
【図５】
2013075721.tif 000007
【図６】
2013075721.tif 000008
【図７】
2013075721.tif 000009